【手続補正書】
【提出日】平成18年5月26日(2006.5.26)
【手続補正１】
【補正対象書類名】明細書
【補正対象項目名】特許請求の範囲
【補正方法】変更
【補正の内容】
【特許請求の範囲】
【請求項１】  遊技媒体が流下する遊技領域が前面に設けられ、前後に貫通する開口が形成された遊技盤と、
前記遊技盤の遊技領域を規制する規制部、及び前記遊技領域に打ち出される前記遊技媒体を案内する案内部が設けられ、前記遊技盤の前面側に配置される遊技領域規制部材と、
遊技に係る処理を実行する制御回路装置が背面に取り付けられ、前記遊技盤の背面側に配置される支持部材と、
前記遊技領域規制部材の背面又は前記支持部材の前面の少なくともいずれか一方に設けられ、前記遊技領域規制部材と前記支持部材とを固定するロック機構と、
前記遊技領域規制部材の背面又は前記支持部材の前面に立設され、前記開口に挿入されるボスとを備え、
前記ボスを前記開口に挿入して前記遊技領域規制部材と前記支持部材とを固定すると前記遊技領域規制部材と前記支持部材との間で前記遊技盤が保持されることを特徴とする遊技機。
【請求項２】  前記ロック機構は、回転操作によって前記遊技領域規制部材と前記支持部材とを固定又は固定解除させる操作つまみからなり、
前記ボスの端面に前記操作つまみを取り付けたことを特徴とする請求項１記載の遊技機。
【請求項３】  遊技の際に流下する遊技媒体を弾くための障害釘と、遊技者に対して付与価値を与えるための入賞口が少なくとも遊技領域に設けられた遊技盤と、
前記遊技領域に向けて打ち出された遊技媒体を前記遊技領域に向けてガイドするガイドレール及び前記遊技領域を規制するための遊技領域規制枠とが一体のユニットとして形成され、前記遊技盤の前面側に配置される遊技領域規制枠ユニットと、
遊技に係る処理を実行する制御回路装置が背面に取り付けられ、前記遊技盤の背面側に配置される支持部材と、
前記遊技領域規制部材の背面又は前記支持部材の前面の少なくともいずれか一方に設けられ、前記遊技領域規制部材と前記支持部材とを固定するロック機構と、
前記ロック機構を前記開口に挿入して前記遊技領域規制部材と前記支持部材とを固定すると前記遊技領域規制部材と前記支持部材との間で前記遊技盤が保持されることを特徴とする遊技機。
【請求項４】  遊技媒体が流下する遊技領域が前面に設けられ、前後に貫通する開口が形成された遊技盤と、
前記遊技盤の遊技領域を規制する規制部、及び前記遊技領域に打ち出される前記遊技媒体を案内する案内部が設けられ、前記遊技盤の前面側に配置される遊技領域規制部材と、
遊技に係る処理を実行する制御回路装置が背面に取り付けられ、前記遊技盤の背面側に配置される支持部材と、
前記遊技領域規制部材の背面又は前記支持部材の前面に立設され、前記開口に挿入されるボスと、
前記ボスの端面に形成された係合部に係合するスライド自在なロックレバーとを備え、
前記ボスを前記開口に挿入して前記ロックレバーを前記係合部に係合させると前記遊技領域規制部材と前記支持部材との間で前記遊技盤が保持されることを特徴とする遊技機。
【請求項５】  前記遊技領域規制部材と前記支持部材とを固定した後に前記遊技領域規制部材と前記支持部材と前記遊技盤とを分離不能にする封印処理を施すことを特徴とする請求項１〜４のいずれかに記載の遊技機。
【手続補正２】
【補正対象書類名】明細書
【補正対象項目名】０００３
【補正方法】変更
【補正の内容】
【０００３】
このような遊技領域とは反対側の後面には、入賞チャッカーやアタッカー等に設けられた入賞口に入ったパチンコ球を、所定の受け部へとガイドする誘導リブからなる所謂球通路を有する支持部材が組み付けられる。この支持部材には、パチンコ機を制御するための主制御回路基板（装置）、ランプ制御回路基板（装置）及び音声制御回路基板（装置）等の制御回路基板の他に、特別図柄表示装置となる液晶表示（ＬＣＤ）パネル等が直接又は間接的に組み付けられ、１つのユニットとして遊技盤の背面に組み付けられる。これにより、遊技盤を取り外した場合には、上記遊技盤に取り付けられたユニットも同時に遊技機内部から取り外すことができるので、組み付けの際の作業性を向上させることが可能となる。
【特許文献１】特開２００１−１０４５５３号公報
【特許文献２】特開平９−２０１４５２号公報
【特許文献３】実開平１０−２０７号公報
【特許文献４】特許第１９４２３２９号公報
【手続補正３】
【補正対象書類名】明細書
【補正対象項目名】０００６
【補正方法】変更
【補正の内容】
【０００６】
【課題を解決するための手段】
上記目的を達成するために、本発明の遊技機は、遊技媒体が流下する遊技領域が前面に設けられ、前後に貫通する開口が形成された遊技盤と、前記遊技盤の遊技領域を規制する規制部、及び前記遊技領域に打ち出される前記遊技媒体を案内する案内部が設けられ、前記遊技盤の前面側に配置される遊技領域規制部材と、遊技に係る処理を実行する制御回路装置が背面に取り付けられ、前記遊技盤の背面側に配置される支持部材と、前記遊技領域規制部材の背面又は前記支持部材の前面の少なくともいずれか一方に設けられ、前記遊技領域規制部材と前記支持部材とを固定するロック機構と、前記遊技領域規制部材の背面又は前記支持部材の前面に立設され、前記開口に挿入されるボスとを備え、前記ボスを前記開口に挿入して前記遊技領域規制部材と前記支持部材とを固定すると前記遊技領域規制部材と前記支持部材との間で前記遊技盤が保持されるものである。なお、本発明における支持部材は、例えば、前記遊技領域が設けられる遊技盤面の後方となる反対側の遊技盤面にて保持するように配置されるものも含み、遊技媒体を所定の受け部へと誘導させるための役割を持つ、例えば誘導リブ等の誘導部材をも含んで備えるようにしてもよい。
【手続補正４】
【補正対象書類名】明細書
【補正対象項目名】０００７
【補正方法】変更
【補正の内容】
【０００７】
また、前記ロック機構は、回転操作によって前記遊技領域規制部材と前記支持部材とを固定又は固定解除させる操作つまみからなり、前記ボスの端面に前記操作つまみを取り付けることが好ましい。
【手続補正５】
【補正対象書類名】明細書
【補正対象項目名】０００８
【補正方法】変更
【補正の内容】
【０００８】
また、本発明の遊技機は、遊技の際に流下する遊技媒体を弾くための障害釘と、遊技者に対して付与価値を与えるための入賞口が少なくとも遊技領域に設けられた遊技盤と、前記遊技領域に向けて打ち出された遊技媒体を前記遊技領域に向けてガイドするガイドレール及び前記遊技領域を規制するための遊技領域規制枠とが一体のユニットとして形成され、前記遊技盤の前面側に配置される遊技領域規制枠ユニットと、遊技に係る処理を実行する制御回路装置が背面に取り付けられ、前記遊技盤の背面側に配置される支持部材と、前記遊技領域規制部材の背面又は前記支持部材の前面の少なくともいずれか一方に設けられ、前記遊技領域規制部材と前記支持部材とを固定するロック機構と、前記ロック機構を前記開口に挿入して前記遊技領域規制部材と前記支持部材とを固定すると前記遊技領域規制部材と前記支持部材との間で前記遊技盤が保持されるものである。
【手続補正６】
【補正対象書類名】明細書
【補正対象項目名】０００９
【補正方法】変更
【補正の内容】
【０００９】
また、本発明の遊技機は、遊技媒体が流下する遊技領域が前面に設けられ、前後に貫通する開口が形成された遊技盤と、前記遊技盤の遊技領域を規制する規制部、及び前記遊技領域に打ち出される前記遊技媒体を案内する案内部が設けられ、前記遊技盤の前面側に配置される遊技領域規制部材と、遊技に係る処理を実行する制御回路装置が背面に取り付けられ、前記遊技盤の背面側に配置される支持部材と、前記遊技領域規制部材の背面又は前記支持部材の前面に立設され、前記開口に挿入されるボスと、前記ボスの端面に形成された係合部に係合するスライド自在なロックレバーとを備え、前記ボスを前記開口に挿入して前記ロックレバーを前記係合部に係合させると前記遊技領域規制部材と前記支持部材との間で前記遊技盤が保持されるものである。
【手続補正７】
【補正対象書類名】明細書
【補正対象項目名】００１０
【補正方法】変更
【補正の内容】
【００１０】
また、前記遊技領域規制部材と前記支持部材とを固定した後に前記遊技領域規制部材と前記支持部材と前記遊技盤とを分離不能にする封印処理を施すことが好ましい。